(57)【要約】【課題】本発明は、種々の複雑なステップを経ることなく、特定ボタンに対応する機能を実行するための時間を簡単で便利に設定する装置及び方法を提供する。【解決手段】本発明は、所定のボタンの入力が所定時間以上感知される場合、ボタンに対するタイマー機能を活性化するステップと、タイマー機能が活性化される場合、入力が開始される時点からボタンに対する入力維持時間を測定し、ボタンに対する入力維持時間に対応するカウントダウン時間を設定するステップと、ボタンに対する入力が終了する場合、設定されたカウントダウン時間でカウントダウンを実行し、カウントダウンが完了した場合、ボタンに対応する機能を実行するステップとを有する電子機器を使用する方法が提供される。【選択図】  図２
2014123374.tif 000002
【特許請求の範囲】
【請求項１】
電子機器を使用する方法であって、
所定のボタンの入力が所定時間以上感知される場合、前記ボタンに対するタイマー機能を活性化するステップと、
前記タイマー機能が活性化される場合、前記入力が開始される時点から前記ボタンに対する入力維持時間を測定し、前記ボタンに対する入力維持時間に対応するカウントダウン時間を設定するステップと、
前記ボタンに対する入力が終了する場合、設定されたカウントダウン時間でカウントダウンを実行し、前記カウントダウンが完了した場合、前記ボタンに対応する機能を実行するステップと、
を有することを特徴とする方法。
【請求項２】
前記カウントダウン時間を設定するステップは、
前記タイマー機能が活性化される場合、ボタンに対する入力が開始される時点から前記ボタンに対する入力維持時間を測定するステップと、
前記ボタンに対する入力維持時間に対応するカウントダウン時間を設定するステップと、
前記設定されたカウントダウン時間を表示するステップと、
を有することを特徴とする請求項１に記載の方法。
【請求項３】
前記カウントダウン時間を表示するステップは、前記設定されたカウントダウン時間を時間情報として表示するステップを有することを特徴とする請求項２に記載の方法。
【請求項４】
前記カウントダウン時間を表示するステップは、前記設定されたカウントダウン時間を、視覚的効果を通じて表示するステップを有することを特徴とする請求項２に記載の方法。
【請求項５】
前記視覚的効果は、前記設定されたカウントダウン時間に従って前記ボタンを視覚的に変更する効果、及び前記設定されたカウントダウン時間に従って前記ボタン以外の表示領域が視覚的に変更される効果のうち少なくともいずれか一つを含むことを特徴とする請求項４に記載の方法。
【請求項６】
前記機能を実行するステップは、
前記設定されたカウントダウン時間でカウントダウンを実行する間に前記カウントダウンの実行に対応する時間情報を表示するステップと、
前記カウントダウンが完了した場合、前記ボタンに対応する機能を実行するステップと、
を有することを特徴とする請求項１に記載の方法。
【請求項７】
前記機能を実行するステップは、
前記設定されたカウントダウン時間でカウントダウンを実行する間に前記カウントダウンの実行に対応する視覚的効果を表示するステップと、
前記カウントダウンが完了した場合に前記ボタンに対応する機能を実行するステップと、
を有することを特徴とする請求項１に記載の方法。
【請求項８】
タッチスクリーンを提供してアプリケーションの実行時に所定のボタンを少なくとも一つ表示するディスプレイ部と、
前記ボタンに対するタッチが所定時間以上感知される場合、前記ボタンに対するタイマー機能を活性化し、前記タイマー機能が活性化される場合、タッチが入力される時点から前記ボタンに対するタッチ維持時間を測定し、前記ボタンに対するタッチ維持時間に対応するカウントダウン時間を設定し、前記ボタンに対するタッチが終了する場合に設定されたカウントダウン時間でカウントダウンを実行し、前記カウントダウンが完了する場合に前記ボタンに対応する機能を実行するように制御する制御部と、
を含むことを特徴とする電子機器。
【請求項９】
前記カウントダウン時間を設定することにおいて、前記制御部は、
前記タイマー機能が活性化される場合、タッチが入力される時点から前記ボタンに対するタッチ維持時間を測定し、前記ボタンに対するタッチ維持時間に対応するカウントダウン時間を設定し、前記設定されたカウントダウン時間を表示するように制御することを特徴とする請求項８に記載の電子機器。
【請求項１０】
前記カウントダウン時間を表示することにおいて、前記制御部は、前記設定されたカウントダウン時間を時間情報として表示するようにさらに制御することを特徴とする請求項９に記載の電子機器。
【請求項１１】
前記カウントダウン時間を表示することにおいて、前記制御部は、前記設定されたカウントダウン時間を、視覚的効果を通じて表示するようにさらに制御することを特徴とする請求項９に記載の電子機器。
【請求項１２】
前記視覚的効果は、前記設定されたカウントダウン時間に従って前記ボタンが視覚的に変更される効果、及び前記設定されたカウントダウン時間に従って前記ボタン以外の表示領域が視覚的に変更される効果のうち少なくともいずれか一つを含むことを特徴とする請求項１１に記載の電子機器。
【請求項１３】
前記機能を実行することにおいて、前記制御部は、
前記設定されたカウントダウン時間でカウントダウンを実行する間に前記カウントダウンの実行に対応する時間情報を表示し、前記カウントダウンが完了する場合に前記ボタンに対応する機能を実行するように制御することを特徴とする請求項８に記載の電子機器。
【請求項１４】
前記機能を実行することにおいて、前記制御部は、
前記設定されたカウントダウン時間でカウントダウンを実行する間に前記カウントダウンの実行に対応する視覚的効果を表示し、前記カウントダウンが完了する場合、前記ボタンに対応する機能を実行するように制御することを特徴とする請求項８に記載の電子機器。
【発明の詳細な説明】
【技術分野】
【０００１】
本発明は携帯端末の使用方法及び装置に関するもので、特にタッチスクリーンを含む携帯端末における特定アプリケーションの機能を実行する方法及び装置に関する。
【背景技術】
【０００２】
携帯端末がスマートフォン又はタブレット型パソコンのように多様な形態に進化するにつれて、携帯端末は、ユーザーに種々の有用な機能を提供し、それによって携帯端末機が一般に使用されている。
【０００３】
携帯端末は、多様なアプリケーションが実行される環境を提供する。ユーザーは、アプリケーションストアを通じて所望するアプリケーションをダウンロードして利用できる。
【０００４】
アプリケーションは多様なタイプのソフトボタンを提供し、ユーザーは、ソフトボタンを操作(例えば、タッチ)して該当ソフトボタンに対応する機能の実行を要求する。例えば、マルチメディアを再生するアプリケーションにおいて、再生機能に対応するソフトボタンが表示される場合、ユーザーは、再生に対応するソフトボタンを指でタッチした後にタッチを解除するタッチ入力を通じて所定のマルチメディアに対する再生を要求できる。
【０００５】
一方、従来技術により、ソフトボタン(以下、‘ボタン’と称する)に対するタッチ入力の際に、ボタンに対応する機能が直ちに実行される。この場合、ユーザーがボタンに対応する機能の実行のための時間を設定するのに不便さがあった。
【０００６】
従来技術において、カメラアプリケーションを通じて画像を撮影するためのボタンは、タイマー機能を有する。しかしながら、このボタンは、所定時間(例えば、２秒及び１０秒)のタイマー機能のみを提供し、このタイマー機能は別途のメニューを通じて設定される。
【０００７】
例えば、従来技術は、ボタンに対応する機能を実行する時間を予約するための予約機能が提供されるが、予約機能を設定するためのメニューのローディング、予約機能の時間設定、ボタンの入力などの多くのステップが要求される。
【０００８】
したがって、特定ボタンに対応する機能を実行するための時間を簡単で容易に設定する方法及び装置が必要である。
【先行技術文献】
【特許文献】
【０００９】
【特許文献１】韓国公開特許第１９９６−０００８４００号公報
【特許文献２】米国特許出願公開第２０１２／００１１４５６号明細書
【発明の概要】
【発明が解決しようとする課題】
【００１０】
したがって、本発明は上述した従来技術の問題点に鑑みてなされたものであって、その目的は、いろいろの複雑なステップを経ることなく、特定ボタンに対応する機能を実行するための時間を簡単で便利に設定する装置及び方法を提供することにある。
【００１１】
また、本発明の目的は、一度(one-depth)のタッチ入力を通じてアプリケーションのボタンが提供する機能の遂行時間を設定する機能を提供することにある。
【課題を解決するための手段】
【００１２】
上記のような目的を達成するために、本発明の一態様によれば、電子機器を使用する方法が提供される。その方法は、所定のボタンの入力が所定時間以上感知される場合、ボタンに対するタイマー機能を活性化するステップと、タイマー機能が活性化される場合、入力が開始される時点からボタンに対する入力維持時間を測定し、ボタンに対する入力維持時間に対応するカウントダウン時間を設定するステップと、ボタンに対する入力が終了する場合、設定されたカウントダウン時間でカウントダウンを実行し、カウントダウンが完了した場合、ボタンに対応する機能を実行するステップとを有する。
【００１３】
本発明の他の態様によれば、タッチスクリーンを提供してアプリケーションの実行時に所定のボタンを少なくとも一つ表示するディスプレイ部と、ボタンに対するタッチが所定時間以上感知される場合、ボタンに対するタイマー機能を活性化し、タイマー機能が活性化される場合、タッチが入力される時点からボタンに対するタッチ維持時間を測定し、ボタンに対するタッチ維持時間に対応するカウントダウン時間を設定し、ボタンに対するタッチが終了する場合に設定されたカウントダウン時間でカウントダウンを実行し、カウントダウンが完了する場合にボタンに対応する機能を実行するように制御する制御部とを含む。
【発明の効果】
【００１４】
本発明は、一度のタッチ入力を通じてボタンに対応するアプリケーションにより提供される機能を実行するための時間を設定する機能を提供することによって、いろいろ複雑なステップを実行することなく、特定ボタンに対応する機能を実行するための時間を便利で迅速に設定することができる効果を有する。
【００１５】
本発明による実施形態の上記及び他の態様、特徴、及び利点は、添付の図面と共に述べる以下の詳細な説明から、一層明らかになるはずである。
【図面の簡単な説明】
【００１６】
【図１】本発明の実施形態による携帯端末を示すブロック構成図である。
【図２】本発明の実施形態による携帯端末を使用するプロセスを示すフローチャートである。
【図３Ａ】本発明の実施形態による携帯端末を使用するプロセスを示すタイミング図である。
【図３Ｂ】本発明の実施形態による携帯端末を使用するプロセスを示すタイミング図である。
【図４】本発明の実施形態による携帯端末を使用する動作を示すタイミング図である。
【図５】本発明の実施形態による携帯端末を使用する動作を示すタイミング図である。
【発明を実施するための形態】
【００１７】
以下、本発明の望ましい実施形態を添付の図面を参照して詳細に説明する。
【００１８】
以降の説明において、具体的な構成及び構成要素のような特定詳細は、ただ本発明の実施形態の全般的な理解を助けるために提供されるだけである。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００１９】
以降の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００２０】
本願明細書に記載の各要素は、文脈中に特に明示しない限り、複数形を含むことは、当業者には理解できるものである。したがって、例えば、コンポーネント表面(a component surface)”との記載は、１つ又は複数の表面を含む。
【００２１】
図１は、本発明の実施形態による携帯端末を示す概略的なブロック構成図である。
【００２２】
図１を参照すると、本発明の実施形態による電子機器は、重さ及びサイズの側面で容易に携帯可能な携帯端末であると仮定するが、本発明の実施形態による電子機器は携帯端末に限定されるものではない。本発明の実施形態による携帯端末は、例えば、従来のフィーチャーフォン(feature  phone)と、Ｂａｄａ、Ｔｉｚｅｎ（登録商標）、ウィンドウシリーズ(例えば、Ｗｉｎｄｏｗｓ（登録商標）８)、ｉＯＳ、Ａｎｄｒｏｉｄ（登録商標）などで駆動される電子機器(例えば、スマートフォン又はタブレット)であってもよい。加えて、本発明の実施形態による携帯端末は、ノートパソコン、デジタルカメラ、又は画像(video)電話、ＰＤＡ(Personal  Digital  Assistant)、携帯用ゲーム機、ＭＰ３プレーヤー、ＰＭＰ(Portable/Personal  Multimedia  Player)、携帯用(handheld)電子ブック、タブレット型コンピュータ、ＧＰＳ(GlobalPositioningSystem)ナビゲーションであってもよい。このとき、本発明の実施形態による携帯端末が上記した機器に限定されるものではないことは、当業者には明らかである。
【００２３】
図１に示すように、携帯端末は、制御部１０、無線送受信部２３、オーディオ処理部２５、キー入力部２７、メモリ３０、及びディスプレイ部５０を含む。
【００２４】
無線送受信部２３は、ＲＦ部及びモデムを含む。ＲＦ部は、送信される信号の周波数をアップコンバート及び増幅するＲＦ送信器と、受信される信号を低雑音増幅して周波数をダウンコンバートするＲＦ受信器を含む。モデムは、送信される信号をエンコード及び変調する送信器と、ＲＦ部により受信される信号を復調及びデコードする受信器を含む。このとき、Ｗｉ-Ｆｉモジュールのような近距離通信モジュールが無線送受信部２３の機能を補完又は代替可能であることは、当業者には明らかである。
【００２５】
本発明の多様な実施形態によると、アプリケーションにより提供されるボタンに対するユーザーのタッチ維持時間に対応するカウントダウン時間を設定し、設定されたカウントダウン時間を通じてボタンに対するカウントダウンの実行において、本発明の変更された実施形態により、アプリケーション別にボタンに対するタッチ維持時間に対応して設定されるカウントダウン時間を分割することができる。
【００２６】
したがって、本発明の実施形態による無線送受信部２３により、制御部１０は、アプリケーションのボタンに対するタッチ維持時間によって設定されるカウントダウン時間の設定値を受信することができる。以後、制御部１０は、受信された設定値により、ボタンに対するタッチ維持時間に対応するようにカウントダウン時間を設定できる。例えば、制御部１０は、アプリケーション設定、ユーザープロファイルなどを格納するサーバから設定値を受信できる。
【００２７】
例えば、受信された設定値により、アプリケーションＡは、１秒及び２秒のタッチ維持時間に対して各々２秒及び４秒のカウントダウン時間を設定し、アプリケーションＢは、１秒及び２秒のタッチ維持時間に対して各々３秒及び６秒のカウントダウン時間を設定する。したがって、制御部１０は、アプリケーションＡのボタンに対するタッチ維持時間が２秒である場合、４秒のカウントダウン時間を設定し、アプリケーションＢのボタンに対するタッチ維持時間が２秒である場合、６秒のカウントダウン時間を設定するように制御する。
【００２８】
オーディオ処理部２５は、コーデックを構成し、このコーデックは、データコーデックとオーディオコーデックを含む。データコーデックはパケットデータを処理し、オーディオコーデックは音声とマルチメディアファイルのようなオーディオ信号を処理する。オーディオ処理部２５は、モデムから受信されたデジタルオーディオ信号を、オーディオコーデックを通じてアナログ信号に変換して再生し、あるいはマイクロフォンから発生するアナログオーディオ信号を、オーディオコーデックを通じてデジタルオーディオ信号に変換してモデムに伝送する。コーデックは、別途に提供され、あるいは制御部１０に含まれてもよい。
【００２９】
本発明の実施形態によれば、制御部１０は、ボタンのタッチ維持時間に対応するように設定されるカウントダウン時間が音声情報でユーザーに通知されるようにオーディオ処理部２５の制御を実行する。例えば、制御部１０は、カウントダウン時間のオーディオ指示を提供するようにオーディオ処理部２５を制御することができる。
【００３０】
一例として、携帯端末がボタンに対する１秒及び２秒のタッチ維持時間に対して各々２秒及び４秒のカウントダウン時間が設定される場合、ユーザーは、各々総２秒間ボタンをタッチする。制御部１０は、ユーザーがボタンを１秒間タッチする場合、カウントダウン時間が２秒に設定されることを通知する。しかしながら、制御部１０は、ユーザーがボタンを２秒間タッチする場合にはカウントダウン時間が４秒に設定されることを通知し、２秒のタッチ維持時間の間にユーザーは２回の通知を受信する。
【００３１】
キー入力部２７は、数字及び文字情報の入力に必要なキー、各種機能の設定に必要な機能キー、及びタッチパッドなどを含んでもよい。このキー入力部２７は、少なくとも一つのソフトウェアキー(例えば、タッチスクリーン上に表示される少なくとも一つのボタン)、又は少なくも一つのハードウェアキー(例えば、ボリューム制御ボタン、ホームボタン、メニューボタン、巻き戻し(backward)ボタンなど)を含んでもよい。ディスプレイ部５０がタッチスクリーン方式で実現される場合、キー入力部２７は予め定められた最小限のキーを含み、ディスプレイ部５０はキー入力部２７のキー入力機能を部分的に代替してもよい。例えば、ディスプレイ部５０は、ユーザーが命令を入力するか、あるいはディスプレイ部５０に表示されるボタンを押すためのタッチスクリーンで構成されてもよい。
【００３２】
本発明の実施形態によれば、ユーザーは、キー入力部２７を用いてボタンに対するタイマー機能を活性化又は非活性化する。本発明の実施形態では、ユーザーがボタンに対する入力(例えば、ソフトウェアキーのタッチ又はハードウェアキーの押し)を所定時間以上(例えば、図３Ａのｔthの時間以上)維持する場合、上記ボタンに対するタイマー機能の活性化機能が提供されるが、ユーザーの必要に応じて、タイマー機能は、キー入力部２７又はディスプレイ部５０のタッチスクリーンを用いて所定のキーで活性化/非活性化することができる。
【００３３】
メモリ３０は、プログラムメモリ及びデータメモリで構成されてもよい。プログラムメモリは、携帯端末の一般的な動作を制御するためのプログラムを格納する。メモリ３０は、ＣＦ(Compact  Flash)、ＳＤ(Secure  Digital)、マイクロＳＤ(Micro  Secure  Digital)、ミニＳＤ(Mini  Secure  Digital)、ｘＤ(Extreme  Digital)、及びメモリスティックのような外部メモリをさらに含んでもよい。また、メモリ３０は、ハードディスクドライブ(ＨＤＤ)及びソリッドステートドライブ(ＳＳＤ)のようなディスクを含んでもよい。
【００３４】
本発明の実施形態によるメモリ３０は、ボタンに対するタッチ維持時間に対応して設定されるカウントダウン時間に対する設定値を格納する。また、メモリ３０は、無線送受信部２３に対する説明で言及した設定値を格納できる。制御部１０は、その設定値を参照してカウントダウン時間を設定してカウントダウンを実行することができる。
【００３５】
ディスプレイ部５０は、ＬＣＤ(Liquid  Crystal  Display)又はＯＬＥＤ(Organic  Light  Emitting  Diodes)(ＰＭＯＬＥＤ(Passive-Matrix OLED)又はＡＭＯＬＥＤ(Active Matrix OLED)など)で構成されてもよい。ディスプレイ部５０は、多様な種類のディスプレイ情報を出力する。ディスプレイ部５０は、静電式又は減圧式タッチスクリーンを含み、ユーザーは、ディスプレイ部５０を単独に使用し、あるいはディスプレイ部５０とキー入力部４０を共に使用して携帯端末機を操作(例えば、ボタンのタッチ)することができる。さらに、ディスプレイ部５０は、タッチスクリーンと共にデジタイザ(digitizer)を含んでもよい。
【００３６】
したがって、本発明の実施形態よると、ボタンに対するタッチは、ユーザーの身体の一部(例えば、指)又は別途の入力装置(例えば、タッチスクリーンに対応するタッチペン又はデジタイザに対応するペン)を通じて入力される。
【００３７】
制御部１０は、本発明の実施形態による携帯端末の全体的な動作を制御し、キー入力部２７及びディスプレイ部５０を通じて入力されるユーザー入力によって携帯端末の動作を転換及び制御できる。また、本発明の実施形態によれば、制御部１０は、所定のボタンに対するタッチが所定時間以上感知される場合にボタンに対するタイマー機能を活性化するステップと、タイマー機能が活性化される場合にタッチが入力される時点からボタンに対するタッチ維持時間を測定するステップと、ボタンに対するタッチ維持時間に対応するカウントダウン時間を設定するステップと、ボタンに対するタッチが終了する場合に所定のカウントダウン時間でカウントダウンを実行するステップと、カウントダウンが完了した場合にボタンに対応する機能を実行するステップとの実行に関連した全体的な動作を制御する。本発明の実施形態による制御部１０の詳細な動作について、次に説明する。
【００３８】
一方、図１のブロック構成図には、ブルートゥース（登録商標）モジュール、カメラモジュール、Ｗｉ-Ｆｉモジュール、加速度センサ、近接センサ、地磁気センサ、及びＤＭＢ(Digital  Media  Broadcasting)受信器のように携帯端末に含まれる装置が示されていない。しかしながら、これらの装置は、本発明の多様な実施形態による携帯端末に含まれて提供され、対応する機能を実行することができることは、当業者には明らかである。
【００３９】
図２は、本発明の実施形態による携帯端末を用いるプロセスを示すフローチャートである。図３Ａ及び図３Ｂは、本発明の実施形態による携帯端末を使用するプロセスを示すタイミング図である。図４は、本発明の実施形態による携帯端末を用いる動作を示すタイミング図であり、図５は、本発明の実施形態による携帯端末を使用する動作を示すタイミング図である。
【００４０】
これら図面を参照すると、ステップＳ２０１で、制御部１０は、所定のボタンに対するタッチが感知されるか否かを判定する。
【００４１】
制御部１０は、ステップＳ２０１でボタンに対するタッチが感知されないと判定される場合、該当機能を実行する。
【００４２】
一方、制御部１０は、ステップＳ２０１でボタンに対するタッチが感知されると判定される場合、ステップＳ２０２に進み、ボタンに対するタッチが所定時間以上感知されるか否かを判定する。
【００４３】
制御部１０は、ステップＳ２０２で、ボタンに対するタッチが所定時間以上感知されないと判定された場合、該当機能を実行する。
【００４４】
一方、制御部１０は、ステップＳ２０２でボタンに対するタッチが所定時間以上感知されると判定された場合(所定ボタンに対するタッチ入力が所定時間以上感知されることが確認される場合)、ステップＳ２０３に進み、ボタンに関連したタイマー機能が活性化されるように制御する。
【００４５】
従来技術において、ユーザーは、タッチスクリーンを含むディスプレイ部５０に表示されたボタンをタッチし、タッチを解除する(例えば、ボタンをタッチしてから手を放す)ことにより、該当ボタンにより提供される機能を実行するように要求できる。一方、本発明の実施形態では、上記した従来技術による一般的な機能と共にタイマー機能をさらに提供する。
【００４６】
図３Ａを参照すれば、ユーザーは、特定時点ｔ０で、所定のアプリケーションが実行され、メニューが表示される場合に表示されるボタン３００をタッチし、所定時間ｔｔｈ以上タッチし、このタッチしたボタン３００に対するタイマー機能の活性化を要求できる。例えば、本発明の実施形態により、制御部１０は、ボタン３００に対するタッチが所定時間ｔｔｈ以上維持される場合、このボタン３００に対するタイマー機能が活性化されるように制御する。このとき、本発明の実施形態によれば、メニューは、一種のアプリケーションとしての性質を帯び、これによってボタンは、アプリケーションが実行された後に一つ以上のボタンが表示されるようなものである。また、本発明の実施形態によれば、所定時間ｔｔｈは、アプリケーションの種類に従って異なるように設定され、ユーザーにより変更されてもよい。
【００４７】
一方、ボタン３００に対するタイマー機能が活性化される場合、制御部１０は、タッチが終了するまでボタン３００に対するタッチが入力される時点ｔ０からボタン３００に対するタッチが終了する時点(例えば、時点ｔ３)までの経過時間が測定されるように制御する。例えば、制御部１０は、ボタン３００に対するタッチ維持時間を測定するように制御する。
【００４８】
以下の説明において、本発明の実施形態によると、タイマー機能が活性化される場合、カウントダウン時間は、ボタン３００に対するタッチ維持時間に比例して設定され、この設定されたカウントダウン時間でカウントダウンが実行され、カウントダウンが完了する場合にボタン３００に対応する機能が実行される。
【００４９】
したがって、制御部１０は、ボタン３００に対するタッチ維持時間に対応して増加するカウントダウン時間をユーザーが容易に確認するように、ボタン３００に対するユーザーのタッチの維持時間の長さに従って設定されるカウントダウン時間を多様な形態の情報でユーザーに表示するように制御する。
【００５０】
例えば、図３Ａに示すように、ボタン３００に対するタッチが時点ｔ０で開始されて時点ｔｔｈでタイマー機能が活性化され、ボタン３００に対するタッチが時点ｔ１及び時点ｔ２を経て時点ｔ３まで維持される場合、制御部１０は、３１０，３２０、及び３３０に示すように、各時点ｔ１、ｔ２、及びｔ３に対応して設定されるカウントダウン時間を時間情報の形態で表示する。
【００５１】
したがって、ボタン３００に対するタッチの持続時間がｔ１、ｔ２、及びｔ３である場合、各々１秒、３秒、及び６秒のカウントダウン時間が設定される。それによって、設定しようとするカウントダウン時間が選択される。例えば、ボタン３００に対するカウントダウン時間が３秒に設定される場合、ユーザーは、３２０に示すように、表示される情報を通じて時点ｔ０から時点ｔ２までの時間でボタン３００に対するタッチを維持すればよい。
【００５２】
一方、ボタン３００に対するユーザーのタッチ維持時間の長さに対応して設定されるカウントダウン時間が様々な形態の情報でユーザーに表示される場合、時間情報を表示するための多様な視覚的効果が使用可能である。次に、図４を参照して説明する。
【００５３】
４１０ａ，４２０ａ，及び４３０ａは、ボタン４００に対するタッチが時点ｔ１，ｔ２，ｔ３まで維持されるそれぞれの場合に対応して設定されたカウントダウン時間を時間情報の形態でユーザーに通知(例えば、表示)する例を示す。
【００５４】
また、４１０ｂ，４２０ｂ，及び４３０ｂは、ボタン４００に対するタッチが時点ｔ１，ｔ２，及びｔ３まで維持されるそれぞれのケースに対応して設定されるカウントダウン時間をユーザーに視覚的効果を通じて通知する例を示す。詳しくは、４１０ｂ，４２０ｂ，及び４３０ｂに該当する視覚的効果は、ボタン４００を除外したディスプレイ領域に表示する例に該当する。
【００５５】
さらに、４１０ｃ，４２０ｃ，及び４３０ｃは、ボタン４００に対するタッチが時点ｔ１，ｔ２，及びｔ３まで維持されるそれぞれのケースに対応して設定されるカウントダウン時間をユーザーに視覚的効果を通じて通知する例である。
【００５６】
４１０ｃ，４２０ｃ，及び４３０ｃは、４１０ｂ、４２０ｂ、及び４３０ｂとは反対に、ボタン３００の形態が設定されるカウントダウン時間の種類(例えば、時間の長さ)に従って変更される例に該当する。４１０ｃ，４２０ｃ，及び４３０ｃのようにボタン４００の視覚的な変更は、４１０ａ〜４３０ａ及び４１０ｂ〜４３０ｂに示すように、カウントダウン時間を表示する別途のディスプレイ領域がない場合、ボタン４００に対するタッチ維持時間によって設定されるカウントダウン時間をユーザーに通知する場合に有用である。
【００５７】
図４で説明した視覚的効果を通じて、ユーザーは、ボタン４００に対するタッチ維持時間が長くなることによって増加するように設定されるカウントダウン時間を視覚的に容易に確認することができる。
【００５８】
ステップＳ２０４で、制御部１０は、ボタンに対するタッチが終了するか否かを判定する。
【００５９】
制御部１０は、ステップＳ２０４で、ボタンに対するタッチが終了しないと判定する場合には、ステップＳ２０３に進む。
【００６０】
一方、制御部１０は、ステップＳ２０４でボタンに対するタッチが終了すると判定される場合(例えば、ボタンに対するタッチが終了することを確認する場合)、ステップＳ２０５で、タッチが終了する時点に対応してカウントダウン時間が設定されるように制御する。
【００６１】
以前のステップで説明したように、本発明の実施形態では、ボタンに対するタッチ時間が長くなると、タッチ時間の長さに対応して設定されるカウントダウン時間がユーザーにいろいろな形態の情報で通知される。したがって、ユーザーは、自身が設定しようとするカウントダウン時間が確認される場合、ボタン３００に対するタッチの終了又は解除(例えば、ボタンから指の取り外し)することができる。
【００６２】
本発明の実施形態により、制御部１０は、ボタン３００に対するタッチが終了(又は解除)する時点までのタッチ維持時間に対応してカウントダウン時間が設定されるように制御する。
【００６３】
図３Ａに示すように、ユーザーは、時点ｔ１でボタン３００に対するタッチを解除する場合、１秒のカウントダウン時間が設定され、時点ｔ２でボタン３００に対するタッチを解除する場合、３秒のカウントダウン時間が設定され、時点ｔ３でボタン３００に対するタッチを解除する場合、６秒のカウントダウン時間が設定される。
【００６４】
一方、本発明の実施形態によれば、ボタンに対するタッチ維持時間に従って設定されるカウントダウン時間は、アプリケーション別に分類されてタイマー機能のフレキシブルな適用を可能にする。例えば、各アプリケーションは、関連したそれ自体のカウントダウン時間を有する。
【００６５】
したがって、ボタンに対するタッチ維持時間(例えば、タッチの入力時点からタッチの終了時点までの経過時間)に対応するカウントダウン時間の設定は、タッチされたボタンのアプリケーションによりタッチ維持時間に従って設定されるカウントダウン時間を分類することを意味する。
【００６６】
ｔ０は０秒で、ｔｔｈは０.５秒で、ｔ１は１秒で、ｔ２は２秒で、ｔ３は３秒であるとの仮定の下に、図５を参照して、本発明の多様な実施形態について説明する。
【００６７】
図５に示したボタン５００がＳＭＳ(Short  Message  Service)、ＭＭＳ(Multimedia  Messaging  System)、ｉＯＳのｉＭｅｓｓａｇｅ、Ａｎｄｒｏｉｄ向けのＧｏｏｇｌｅトークのようなメッセージ関連アプリケーションのボタンである場合、１秒(ｔ１)、２秒(ｔ２)、及び３秒(ｔ３)に対応して設定されるカウントダウン時間は、５００ａ〜５００ｃに示すように、１分、５分、及び１０分に設定されてもよい。
【００６８】
したがって、メッセージを送信する場合、ユーザーは、送信ボタン５００を１秒間タッチしてから１分後にメッセージ(例えば、送信する他のスケジュール)を送信するように予約し、あるいは３秒間タッチして１０分後にメッセージを送信するように予約することができる。
【００６９】
同様に、図５に示すように、ボタン５１０が音楽のようなマルチメディアを再生するためのマルチメディアサービスに関連したアプリケーションである場合、１秒(ｔ１)、２秒(ｔ２)、及び３秒(ｔ３)のタッチ維持時間に対応して設定されるカウントダウン時間は、５１０ａ〜５１０ｃに示すように、各々３０秒、１２０秒、及び３００秒に設定されてもよい。
【００７０】
したがって、ユーザーは、マルチメディアの再生の際に、再生ボタン５１０を１秒間タッチして３０秒後に再生するように予約し、あるいは再生ボタン５１０を２秒間タッチして１２０秒後に再生されるように予約できる。
【００７１】
最後に、図５に示すように、ボタン５２０が所定の連絡先に呼を発信するための通信アプリケーション向けのボタンである場合、１秒(ｔ１)、２秒(ｔ２)、及び３秒(ｔ３)のタッチ維持時間に対応して設定されるカウントダウン時間は、５２０ａ〜５２０ｃに示すように各々１時間、２時間、及び３時間に設定されてもよい。
【００７２】
したがって、ユーザーは、所定番号で呼を発信する場合、呼び出しボタン５２０を２秒間タッチして２時間後に呼が発信されるように予約し、あるいは３秒間タッチして３時間後に発信するように予約できる。
【００７３】
このとき、ボタンに対するタッチ維持時間に対応して設定されるカウントダウン時間が異なる(区別される)ことに関する情報(すなわち、設定値)は、メモリ３０に予め格納されており、あるいは無線送受信部２３により近距離通信モジュールを通じて外部ソースから受信し、もしくはアプリケーションの設置ファイルにより提供されてもよい。
【００７４】
ステップＳ２０６で、制御部１０は、設定されたカウントダウン時間でカウントダウンを実行する。以後、制御部１０は、ステップＳ２０７に進む。
【００７５】
ステップＳ２０７において、制御部１０は、カウントダウンが完了したか否かを判定する。
【００７６】
制御部１０は、ステップＳ２０７でカウントダウンが完了しないと判定する場合、カウントダウンが完了したと判断されるまで継続して確認する。
【００７７】
一方、制御部１０は、ステップＳ２０７でカウントダウンが完了すると判定される場合、ステップＳ２０８に進む。
【００７８】
ステップＳ２０８で、制御部１０は、カウントダウンが完了する場合にボタンに該当する機能を実行するように制御する。
【００７９】
以上のステップを通じて説明したように、ボタンに対するタッチ維持時間に対応するようにカウントダウン時間が設定される場合、制御部１０は、設定されたカウントダウン時間でカウントダウンを実行し、カウントダウンが完了する場合にはボタンに対応する機能が実行されるように制御する。
【００８０】
図３Ａ及び図３Ｂを参照すると、図３Ａに示すＴ３時点までボタン３００に対するタッチを維持した後にタッチが解除される場合(例えば、指が放す場合)、６秒(Ｔ３)のカウントダウン時間が設定され、制御部１０は、６秒のカウントダウン時間でカウントダウンを実行する。
【００８１】
この場合、本発明の実施形態による制御部１０は、設定されたカウントダウン時間でカウントダウン実行に対応する情報をユーザーに表示できる。例えば、制御部１０は、図３Ｂの３４０、３５０、及び３６０に示すように、カウントダウンの経過プロセスを６秒、３秒、及び１秒の時間情報で表示し、ユーザーがカウントダウンの経過プロセスを認識することができる。
【００８２】
一方、カウントダウンの経過プロセスは、図３Ｂの３４０，３５０、及び３６０に示すように時間情報で表示されるが、このカウントダウンの経過プロセスは、図４の４１０ｂ〜４３０ｂ及び４１０ｃ〜４３０ｃに示すように視覚的効果を通じて表示されてもよい。
【００８３】
例えば、図３Ｂの３４０に示す時間情報は、４３０ｂ又は４３０ｃの視覚的効果に代替され、３５０の時間情報は４２０ｂ又は４２０ｃの視覚的効果に代替され、３６０の時間情報は４１０ｂ又は４１０ｃの視覚的効果に代替されてもよい。
【００８４】
それによって、ユーザーは、カウントダウンが進行されるプロセスを視覚的効果で確認し、カウントダウンの完了により該当ボタンにより提供される機能が実行されることを容易に認識することができる。
【００８５】
上述した本発明の実施形態により、ボタンに該当するアプリケーションにより提供される機能を実行するための時間の設定機能は、一度(１depth)のタッチ入力を通じて提供されることが可能となる。さらに、特定ボタンに対応する機能が実行される時間は、種々の複雑なステップを経ることなくても便利で迅速に設定することができる。
【００８６】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【図１】
2014123374.tif 000003
【図２】
2014123374.tif 000004
【図３Ａ】
2014123374.tif 000005
【図３Ｂ】
2014123374.tif 000006
【図４】
2014123374.tif 000007
【図５】
2014123374.tif 000008